(57)【特許請求の範囲】
【請求項１】
ミラーと、このミラーの周縁部を保持し前記ミラーの反射面と垂直方向の断面外周部が円弧形状であるミラー保持手段と、このミラー保持手段のミラー反射面側外周部の一部と内側円錐面の一部で当接する第一の支持体と、この第一の支持体と前記ミラー保持手段を介して対向し前記ミラー保持手段のミラー背面側外周部の一部と内側円錐面の一部で当接する第二の支持体と、前記第一の支持体と前記第二の支持体とを夫々前記ミラー保持手段に圧接させる圧接固定手段とを備えたことを特徴とする反射鏡ユニット。
【請求項２】
ミラーとこのミラーの周縁部を保持し前記ミラーの反射面と垂直方向の断面外周部が円弧形状であるミラー保持手段とこのミラー保持手段のミラー反射面側外周部の一部と内側円錐面の一部で当接する第一の支持体とこの第一の支持体と前記ミラー保持手段を介して対向し前記ミラー保持手段のミラー背面側外周部の一部と内側円錐面の一部で当接する第二の支持体と前記第一の支持体と前記第二の支持体とを夫々前記ミラー保持手段に圧接させる圧接固定手段とを有するユニット本体部と、このユニット本体部と分離可能に設けられ前記ミラー保持手段と前記第一の支持体とが当接した状態で前記ミラーの反射方向を調整するミラー調整手段とを備えたことを特徴とする反射鏡ユニット。
【請求項３】
第二の支持体の内側円錐面のうち、ミラー保持手段との当接部位を含む範囲に内周方向に有限の幅を有する弾性部材を設けたことを特徴とする請求項１に記載の反射鏡ユニット。
【発明の詳細な説明】
技術分野
この発明は、レーザ加工装置等に用いられ、レーザ光の光路を設定するための反射鏡ユニットに関するものである。
背景技術
第６図は、例えば実開昭６３−１６４７０１号公報に示された従来の反射鏡ユニットであるベンドミラー装置を示す断面図である。第６図において、１はミラー、３はミラー１を収納するミラー容器で、ミラー１はこのミラー容器３に押圧部材７によって固定される。この押圧部材７には、ミラー１を空気冷却するために空気導入口１３と空気排出口１５が設けてある。また、５は球面体、９はこの球面体５とミラー容器３を固定するネジ、１７は球面体５の外周面を内側球面で受ける支持体、２５はネジ２３によって支持体１７に固定されるキャップ、２７はキャップ２５に取り付けられたアジャストボルト、３５は支持体１７を固定するブロックである。
次に、動作について説明する。入射光Ｌｉはミラー１の反射面上の点Ｐで反射し、出射光Ｌｏとなる。この出射光Ｌｏの光軸調整、すなわちミラー１の反射角度調整は、アジャストボルト２７がミラー容器３の背面を押すことにより、球面体５が支持体１７と摺動しながら角度を変えることによって行われる。
従来の反射鏡ユニットは、以上に説明したような構成となっており、アジャストボルト２７によるミラー１の角度（反射面方向）調整後、そのミラー１を固定する手段がないので、振動及び温度変化等により、ミラー１の角度がずれてしまう等の問題点があった。この対策のために、定期的な検査等のメンテナンスをしなければならず、その調整には熟練技能が必要であった。さらに、このずれ量は経時的に不均一な変化があるため、精度管理の信頼性が乏しかった。
また、ミラー１の角度調整後に、アジャストボルト２７にさらにトルクを加えることによってその角度を固定した場合、均一に固定力がかからないためにモーメントが働き、ミラー１の角度がずれるなどの問題点があった。また、固定力による残留応力が時間の経過とともに解放され、角度が次第に狂うなどの問題点があった。
また、アジャストボルト２７等の角度調整機構は、ひとたびミラー１の角度調整を終えた後は、当該反射鏡ユニットの故障，部品の交換など、ごく稀な場合を除き、使用されることはないが、通常の状態、すなわちレーザ加工装置の使用時等にも、当該角度調整機構が常に反射鏡ユニット本体に一体化して存在するため、ミラー１の背面部分が大きくなり、第６図に寸法ｔとして示す、反射鏡ユニット全体としての厚みも厚くなる。
上述のように、通常は用いることのない角度調整機構が一体化されているために、軽量化，小型化することが困難であり、また、他の構成部品等と干渉し易い、等の問題点があった。
さらに、従来例の場合、球面体５の外周面と摺動する支持体１７の内側に形成された凹形状部が球面であるが、球面体５の挿入及び角度調整動作のために、実際には球面体５と支持体１７との両方の球面（凸球面と凹球面）の間には若干の隙間がなくてはならず、そのため、支持体１７の内側の凹形状（凹球面）は球面体５の外周面の球面形状（凸球面）よりわずかに曲率半径を大きく製作する必要がある。また、支持体１７と球面体５との両方の面を球面（凹球面と凸球面）に加工する場合、所望の精度に加工を仕上げることは容易ではない。そのため実際には、球面体５の球面と支持体１７の凹球面とが或る範囲の面積をもって接することにはならず、球面体５の球面が支持体１７の凹球面に内接する部位は、支持体１７の内側の凹球面の円弧の端部、すなわちエッジ部１８となる場合が多い。通常エッジ部１８は、加工歪みのために変形しており、またその部分は薄く、応力による弾性変形及び塑性変形をしやすい。そのため、そのエッジ部１８に球面体５が押圧され応力集中が起こると、接触部であるエッジ部１８の変形が容易に起こり、このことによっても、ミラー１の角度のずれが生じる、といった問題点があった。
この発明は、上記のような問題点を解決するためになされたものであり、ミラーの角度調整後の固定状態が確実に維持され、しかも、小型（薄型）・軽量化が可能な、反射鏡ユニットを得るものである。
発明の開示
この発明は、ミラーと、このミラーの周縁部を保持し前記ミラーの反射面と垂直方向の断面外周部が円弧形状であるミラー保持手段と、このミラー保持手段のミラー反射面側外周部の一部と内側円錐面の一部で当接する第一の支持体と、この第一の支持体と前記ミラー保持手段を介して対向し前記ミラー保持手段のミラー背面側外周部の一部と内側円錐面の一部で当接する第二の支持体と、前記第一の支持体と前記第二の支持体とを夫々前記ミラー保持手段に圧接させる圧接固定手段とを備えた反射鏡ユニットを提供するものである。
したがって、ミラー保持手段の表面と第一の支持体の表面とは、その断面を見ると、直線と円弧とで当接することになるが、この直線と円弧とによる当接は、円弧同志で当接させようとした場合よりも、実際の加工精度等を考慮すると有利であり、ミラー保持手段と第一の支持体との当接部の変形等も起こり難い。結果的に、ミラーの角度調整，保持固定を高精度で実施することができ、ミラーの角度ずれを大幅に低減できるものである。
また、この発明は、ミラーとこのミラーの周縁部を保持し前記ミラーの反射面と垂直方向の断面外周部が円弧形状であるミラー保持手段とこのミラー保持手段のミラー反射面側外周部の一部と内側円錐面の一部で当接する第一の支持体とこの第一の支持体と前記ミラー保持手段を介して対向し前記ミラー保持手段のミラー背面側外周部の一部と内側円錐面の一部で当接する第二の支持体と前記第一の支持体と前記第二の支持体とを夫々前記ミラー保持手段に圧接させる圧接固定手段とを有するユニット本体部と、このユニット本体部と分離可能に設けられ、前記ミラー保持手段と前記第一の支持体とが当接した状態で前記ミラーの反射方向を調整するミラー調整手段とを備えた反射鏡ユニットを提供するものである。
したがって、ミラー調整手段を、第二の支持体を始めとする反射鏡ユニットの主要部を有するユニット本体部と分離可能な構成としたことにより、反射鏡ユニットの小型化、特に薄型化、及び軽量化を可能にするものである。
また、この発明は、第二の支持体の内側円錐面のうち、ミラー保持手段との当接部位を含む範囲に内周方向に有限の幅を有する弾性部材を設けた反射鏡ユニットを提供するものである。
したがって、ミラーの固定が、より精度良く実現でき、固定作業時のミラーの角度（反射方向）ずれを防止することができるものである。
発明を実施するための最良の形態
実施の形態１．
第１図乃至第３図は、この発明の第１の実施の形態による反射鏡ユニットを説明するための説明図である。第１図は、ミラーの角度調整手段を取り付けていない状態であり、反射鏡ユニットの通常の状態を示す。第２図及び第３図は、ミラー調整手段を組付けた状態であり、ミラーの角度調整時の状態を示す。
第１図乃至第３図において、１はミラー、５は円弧形状の断面を呈する凸形状部を外周に有し、ミラー１の周縁部を保持する、ミラー保持手段としての球面体、７はミラー１を球面体５に固定する押圧部材である。ミラー１と球面体５と押圧部材７との３部材を一体として、適宜、反射体１００と称することとする。
１７は球面体５を支持固定する支持体であり、この支持体１７は図示するように、第一の支持体としての反射面側支持体１７ａと、第二の支持体としての背面側支持体１７ｂとに分割された構造となっている。
反射面側支持体１７ａの内側には円錐形状の凹形状部１７ｃが、背面側支持体１７ｂの内側には同じく円錐形状の凹形状部１７ｄがそれぞれ形成されている。第１図に示すとおり、反射面側支持体１７ａの凹形状部１７ｃの表面と球面体５の表面とは、断面で見ると、直線と円弧とが１点（Ａ）で当接することになり、その当接状態で球面体５を保持固定することとなる。背面側支持体１７ｂの凹形状部１７ｄの表面と球面体５の表面とも同様に接するものである。
反射面側支持体１７ａの内側表面を円錐形状に加工することは、従来のものの様な凹球面に加工することよりも表面の精度を上げる点で有利であり、また、上述したように、反射面側支持体１７ａの凹形状部１７ｃの表面と球面体５の表面とが、断面上、直線と円弧とによる当接となることにより、従来の様な円弧同志の当接の場合と較べて、結果的に、ミラー１の角度調整，保持固定についても精度を上げることができる。
１０１は、固定用ネジ穴１７ｈに挿入することによって角度の調整が終了した球面体５の固定を行う、圧接固定手段としてのネジである。
さらに第２図及び第３図に示すように、１０５は調整板、２３は調整板用ネジ穴１７ｅに挿入して調整板１０５を支持体１７に固定する調整板仮固定ネジ、２７（２７ａ，２７ｂ，２７ｃ，２７ｄ）は球面体５を角度調整するために調整板１０５に取り付けられたアジャストボルトである。調整板１０５，固定ネジ２３，アジャストボルト２７がミラー調整手段としての機能を有する。
次に、この実施の形態の反射鏡ユニットによるミラー１の角度調整及び固定について説明する。なお、説明は、第３図中に示したｘｙｚ座標系による。
まず、調整板仮固定ネジ２３によって、調整板１０５を、反射体１００すなわち球面体５が当接されている状態の反射面側支持体１７ａに、背面側支持体１７ｂを介して直接的または間接的に固定する。この状態において背面側支持体１７ｂを押圧固定する４本のネジ１０１は緩めておく。次に各アジャストボルト２７を押圧部材７に当て、アジャストボルト２７ａと２７ｃとの押し引きにより、ミラー１の、ｚｘ平面内での角度調整を、またアジャストボルト２７ｂと２７ｄとの押し引きにより、ｙｚ平面内の角度調整を行う。
角度調整が終了した状態で、支持体１７ａ及び１７ｂで反射体１００を挟み込み、ネジ１０１を締めることにより固定を行う。最後に、調整板仮固定ネジ２３を緩めて、調整板１０５を反射面側支持体１７ａから取り外す。
この発明のものはこのように、従来例のものでは一体不可分に構成されたミラー角度調整手段を、反射鏡ユニット本体に対し、分離，着脱可能とした構成である。この構成により、通常は用いることのない角度調整機構を、ひとたびミラー１の角度調整を終えた後は反射鏡ユニット本体から取り外すことにより、通常の使用状態における反射鏡ユニットの軽量化，小型化を実現することができ、ひいては小型化によって、他の構成部品等との干渉を防止できるものである。
また、この発明のものにおいては、支持体１７ａに形成された凹形状部の形状として円錐形状を採用した。円錐形状の場合、母線と中心線とのなす角度を調節することにより、球面体と支持体の接触部の位置を比較的容易に所望の位置に設定することができる。また、先にも述べたように、内表面を円錐形状を加工することは球面状に加工するよりも高精度の加工が容易である。
また、支持体１７と反射体１００の接触面の応力集中による塑性変形を防止するために、接触面に硬化処理を施すとよい。硬化処理には、アルマイト処理等が適当である。
上述の第一の実施の形態では、反射体１００をミラー１，球面体５，押圧部材７の３部品からなる分割構造としたが、この場合、ミラー１の交換が容易でしかも安価に行える。例えば、反射体１００すなわち球面体５を固定した後でも、球面体５の背面側から押圧部材７を取り外すことで、球面体５からのミラー１の着脱は可能となり、ミラー１を交換する場合でも、その都度、光軸調整を行う必要がない。しかし、軽量化及び部品点数の削減が必要で、ミラー１の交換が頻繁でないと想定される場合は、球面体５とミラー１とを一体成形品としてもよい。
実施の形態２
第４図は、この発明を実施するための第二の実施の形態による反射鏡ユニットを説明するための図である。第４図において、第１図乃至第３図と同一の符号を付したものは、同一またはこれに相当するものである。
第４図において、１０２は支持体１７ａと球面体５の接触面である凹形状部１７ｃの表面上に設けられた高摩擦係数面、１０３は背面側支持体１７ｂと球面体５の接触面である凹形状部１７ｄの表面に形成された弾性部材としてのシート状弾性体である。さらにこの実施の形態のものにおいては、１０４はシート状弾性体１０３の表面に、低摩擦係数面１０４を設けている。
この第二の実施の形態のものにおけるミラー１の角度調整及び固定の要領については、基本的に第一の実施の形態のものと同じである。
次に、この固定に際して通常発生する現象を第４図及び第５図により説明する。なお、第５図は、理解を助けるために、第４図中の球面体５のみを取り出して簡略化した斜視図である。また、第５図において、上面側が、ミラー１の反射面を有する反射面側支持体１７ａと接する側で、下面側が、ミラー１の背面側で背面側支持体１７ｂと接する側である。
上述の第一の実施の形態で示したような、ミラー１の調整が終了した状態では、反射面側支持体１７ａと球面体５とは、理想的には、円周（断面では、支持体１７ａのテーパ断面と反射体１００の円弧との接点）で接することになるが、実際には、双方の面の精度等の事情から、３点（Ｐ１，Ｐ２，Ｐ３）で接触していることになる。この３点での支持を維持したまま、球面体５を固定すれば、調整のずれは発生しない。しかし、ただ単に、背面側支持体１７ｂにより、球面体５に背面側から押して固定しようとした場合、第５図に示すように、背面側支持体１７ｂと球面体５とは、反射面側支持体１７ａと球面体５との接し方と同様に特定の３点（Ｑ１，Ｑ２，Ｑ３）で接触していることになる。押す点Ｑ２が接触点Ｐ２を通る作用線ｔ上に存在するのは稀であり、実際には点Ｐ１と点Ｑ１のように作用線上からずれているのがふつうである。この状態で点Ｑ１に固定力をかけると、その作用線ｓ上に支点となる接触点がないため、点Ｐ１と点Ｐ２を支持点として球面体１００は変位してしまう。すなわち、ミラー１の反射面１ａの角度ずれが発生する。また、この変位にともない、作用点Ｑ１が移動する。このようにしてミラー１の角度ずれが発生する。これらのような現象による角度ずれは微々たるものであるが、反射面からの距離に比例して、光軸のずれは大きくなり、遠方では、重大な誤差を生じる場合がある。
このようなずれを回避し、より高精度な角度調整を実現するための対策として、第４図に示したように、背面側支持体１７ｂと球面体５との接触を、３点のみによる接触ではなく、確実に或る面積を持った接触となるようにして、応力の集中をなくし、固定作業中に発生するずれを抑制するようにする。そのために、背面側支持体１７ｂから球面体５に掛る応力を分散させるために、背面側支持体１７ｂの円錐形状の面に、一周する円環シート状弾性体１０３を設ける。さらに、このシート状弾性体１０３の表面に低摩擦率面１０４を形成することにより、固定作業時に球面体５及び背面側支持体１７ｂの弾性変形移動に起因する摩擦力による反射体１００（球面体５）に働く移動力を抑制する。
また一方、接触点Ｐがずれないように、凹形状部１７ｃの表面には高摩擦率面１０２を形成し、ひとたびミラー１の角度を決定した後の固定作業時に生じるミラー１の角度ずれを抑制するとよい。
なお、高摩擦係数面として、摩擦力を上げるために、面の粗度を上げてもよいし、或いは、例えば接触面に磁力吸引力が作用するようにしてもよい。
産業上の利用可能性
以上のように、本発明にかかる反射鏡ユニットは、例えば３次元レーザ加工機において用いられるのに適している。
【図面の簡単な説明】
第１図は、第一の実施の形態の反射鏡ユニットを説明するための概略断面図である。
第２図は、第一の実施の形態の反射鏡ユニットと着脱式のミラー調整手段とを説明するための概略断面図である。
第３図は、第一の実施の形態の反射鏡ユニットと着脱式のミラー調整手段とを説明するための斜視図である。
第４図は、第二の実施の形態の反射鏡ユニットを説明するための概略断面図である。
第５図は、反射体の押圧・固定状態を説明するための図である。
第６図は、従来の反射鏡ユニットを説明するための図である。
【図１】
0003915700.tif 000002
【図２】
0003915700.tif 000003
【図３】
0003915700.tif 000004
【図４】
0003915700.tif 000005
【図５】
0003915700.tif 000006
【図６】
0003915700.tif 000007